(57)【要約】【課題】  本発明は、ゴルフプレーヤのゴルフスイングを矯正するゴルフスイング練習器に関するものである。【解決手段】  本発明のゴルフスイング練習器は、ゴルファーの足元に所定の距離に置かれる基台と、クラブヘッドにプレッシャーを与えるための形状記憶部材とから構成されている。前記基台は、たとえば、ゴルファーの足元から離れる方向に、幅を狭くまたは広くしたほぼＬ字状に成形されており、ゴルフ場あるいはゴルフ練習場等の上で、ゴルファーに対する正しい位置に置かれる。前記形状記憶部材は、前記基台に固定または着脱自在であり、ゴルファーがクラブをスイングした際に、クラブヘッドが正しい軌道で通過するように形状を変えることができる。【選択図】    図１
2006326145.tif 000002
【特許請求の範囲】
【請求項１】
ゴルファーのゴルフスイングを正しく矯正するためのゴルフスイング練習器において、
地上に載置するための基台と、
前記基台に固定または着脱自在に取り付けられているとともに、クラブヘッドが正しい軌道で通過するように形状を変えることができ、かつその状態で形状が記憶される形状記憶部材と、
が少なくとも一つ配置されていることを特徴とするゴルフスイング練習器。
【請求項２】
前記基台には、ゴルフスイングと平行になる平行部材が取り付けられていることを特徴とする請求項１に記載されたゴルフスイング練習器。
【請求項３】
前記基台には、前記形状記憶部材の取付部と、プレーヤが写されるミラーが取り付けられていることを特徴とする請求項１または請求項２に記載されたゴルフスイング練習器。
【請求項４】
前記基台と形状記憶部材とは、互いの角度を変えるように回動できるとともに、その角度が表示される構造であることを特徴とする請求項１から請求項３のいずれか１項に記載されたゴルフスイング練習器。
【発明の詳細な説明】
【技術分野】
【０００１】
本発明は、ゴルフ練習場、ゴルフ場、あるいは、広場等でゴルフスイングの練習ができ、ゴルフボールを打ったり、あるいはゴルフスイングを繰り返すことで、自然と正しいゴルフスイングに矯正されるゴルフスイング練習器に関するものである。
【背景技術】
【０００２】
図７はゴルファーがゴルフスイングを行なった際のスイングの軌跡を説明するための図である。図７において、ゴルファー７２は、身体の重心を移さないようにしながら、クラブヘッドをある長さだけ平行になるような軌道７３でスイングする。
【０００３】
特開２００３−０３８７００号公報に記載されているリスニングスイングマシンは、室内でスイングができるシャフトの短いゴルフスイング練習器にフエを取り付け、軽いスイングでフエを高く鳴らす練習を繰り返すと、正しいスイングをマスターできる。また、特開２００１−０００６１３号公報におけるゴルフスイング練習器は、一方のマット台の裏面上に回動軸を突設した摺動マット台およびもう一方の基台上に咬合部を持つ凹形状のレールを有した基台とで構成し、前記摺動マット台の回動軸を基台レールに枢支させることができる。
【０００４】
特開２０００−２８８１４５号公報に記載されているゴルフスイング練習器は、ゴルフクラブに装着して素振りを行うものであり、ゴルフスイング軌道方向に作用するバネ状弾性体の一端には慣性質量体が取り付けてあり、他端は枠体に固定された、ゴルフクラブの固有振動数と同等でより大きな振幅となる振動手段を有し、素振り中に前記バネ状弾性体の変位によって前記慣性質量体が、前記枠体に固定された受け板に衝突する時に音を発生する位置を聴覚で確認できるようにしたものである。
【特許文献１】特開２００３−０３８７００号公報
【特許文献２】特開２００１−０００６１３号公報
【特許文献３】特開２０００−２８８１４５号公報
【発明の開示】
【発明が解決しようとする課題】
【０００５】
従来のゴルフスイング練習器は、ゴルフクラブをバックスイングからフォロースルーまでの間に身体に感じるものがなく、正しいゴルフスイングであるか否かを自分でチェックすることができなかった。したがって、ゴルフスイングは、何度も繰り返されても、理想のゴルフスイングであるか否かがチェックされずに、ゴルファーが不安を感じるようになる。また、従来のゴルフスイング練習器は、構造が複雑なものが多く、安価で、かつ信頼性のあるものがなかった。
【０００６】
以上の課題を解決するために、本発明は、ゴルファーが自然に正しいゴルフスイングに矯正されるようなプレッシャーを与える部材を置くだけで、容易に使用できる簡単なゴルフスイング練習器を提供することを目的とする。本発明は、ゴルフクラブの種類やライアングルが異なっても、ゴルフスイングに対するプレッシャーを与える部材の形状を容易に変えることができるゴルフスイング練習器を提供することを目的とする。
【課題を解決するための手段】
【０００７】
（第１発明）
第１発明のゴルフスイング練習器は、ゴルファーのゴルフスイングを正しく矯正するためのものであり、地上に載置するための基台と、前記基台に固定または着脱自在に取り付けられているとともに、クラブヘッドが正しい軌道で通過するように形状を変えることができ、かつその状態で形状が記憶される形状記憶部材とが少なくとも一つ配置されていることを特徴とする。
【０００８】
（第２発明）
第２発明のゴルフスイング練習器は、第１発明の基台にゴルフスイングと平行になる平行部材が取り付けられていることを特徴とする。
【０００９】
（第３発明）
第３発明のゴルフスイング練習器は、第１発明または第２発明の基台に形状記憶部材の取付部と、プレーヤが写されるミラーが取り付けられていることを特徴とする。
【００１０】
（第４発明）
第４発明のゴルフスイング練習器は、第１発明から第３発明の基台と形状記憶部材とが互いの角度を変えるように回動できるとともに、その角度が表示される構造であることを特徴とする。
【発明の効果】
【００１１】
本発明によれば、形状および角度を変えることができる形状記憶部材がゴルフスイングのプレッシャーとなって、再現性の高い正しいフォームに矯正される安価なゴルフスイング練習器である。
【００１２】
本発明によれば、ゴルファーは、ゴルフボールを打つ際に、前記形状記憶部材に当たらないようにスイングするため、ゴルフスイングが自然により正しいフォームに矯正される。前記ゴルフスイング練習器の形状記憶部材は、任意に形状を変えることができるため、ゴルフスイングの矯正方法、ゴルファーの技術、クラブの種類、あるいはライアングルの違いによって、形状記憶部材の形状や角度を工夫して設定することにより、より一層正しいフォームに矯正される。
【００１３】
本発明によれば、実際のゴルフボールを打ちながら、あるいは、素振りのどちらにも使用することができる。
【００１４】
本発明によれば、ゴルファーは、スイングする際に、基台に取り付けられている平行部材または平行面とゴルフボールとを同時に見ることができるため、単に頭でイメージを描きながらスイングするものとは異なり、前記平行部材または平行面および前記形状記憶部材の両方を意識しながらスイングを行うので、正しいゴルフスイングの矯正を速く達成できる。
【００１５】
本発明によれば、ゴルファーは、自分の姿勢やフォームをミラーで見ると同時に、前記形状記憶部材および前記基台の平行線のプレッシャーにより、容易に正しいフォームを作ることができる。
【００１６】
本発明によれば、ゴルフスイング練習器における基台と形状記憶部材との角度を所望の角度に正しくセッティングさせることができる。
【発明を実施するための最良の形態】
【００１７】
（第１発明）
第１発明のゴルフスイング練習器は、ゴルフボールを所定の位置に正しく飛ばすことができるようにゴルファーのゴルフスイングを正しく矯正するためのものである。前記ゴルフスイング練習器は、ゴルファーの足元に所定の距離に置かれる基台と、クラブヘッド、シャフト、およびスイングにプレッシャーを与えるための形状記憶部材とから構成されている。前記基台は、たとえば、ゴルファーの足元から離れる方向に、幅を狭くまたは広くしたほぼＬ字状に成形されており、ゴルフ場あるいはゴルフ練習場等の上で、ゴルファーに対する正しい位置に置かれる。前記形状記憶部材は、前記基台に固定または着脱自在であり、ゴルファーがクラブをスイングした際に、クラブヘッド、シャフトが正しい軌道で通過して行くように形状を変えることができ、かつその状態で形状が記憶される。また、前記形状記憶部材は、ゴルフスイングに余分な動きができないように制限することができる。
【００１８】
前記ゴルフスイング練習器は、クラブヘッドが正しく通過する経路に少なくとも一つが置かれる。前記ゴルフスイング練習器は、たとえば、複数個（２個、３個、４個、・・・）が前記クラブヘッドの通過経路に沿って置かれる。初心者のゴルファーは、クラブへッドのスイング経路とゴルフスイング練習器の形状記憶部材との距離を離す。上級者のゴルファーは、クラブヘッドのスイング経路とゴルフスイング練習器の形状記憶部材との距離を近づけることができる。ゴルファーは、ゴルフボールを打つ際に、前記形状記憶部材に当たらないようにスイングするため、ゴルフスイングが自然に矯正される。前記ゴルフスイング練習器の形状記憶部材は、任意に形状を変えることができるため、ゴルファーの技術、クラブの種類、ライアングル等によって形状や位置を工夫することにより、より一層ゴルフの技術が上達する。
【００１９】
ゴルファーは、たとえ、スイングに失敗して、クラブヘッドが前記形状記憶部材に衝突しても、クラブヘッド部に傷が付かないようなゴム質形の部材からなることが望ましい。また、基台は、前記形状記憶部材を安定して所定の位置における重量と長さを有することが望ましい。本発明のゴルフスイング練習器は、実際のゴルフボールを打ちながら、あるいは、素振りのどちらにも使用することができる。
【００２０】
（第２発明）
第２発明のゴルフスイング練習器は、第１発明における基台にゴルフスイングと平行になる平行部材が取り付けられている。前記平行部材は、棒状のもの、板状のものを基台に取り付けるか、あるいは、基台自体の幅を横方向に長くすることができる。ゴルファーは、スイングする際に、前記基台に取り付けられている平行部材とゴルフボールとを同時に見ることができる。すなわち、ゴルファーは、前記平行部材のために、スイングする際に、ある距離だけ、クラブヘッドが平行になり、ゴルフボールを所定の方向に飛ばすことができる。前記平行部材は、前記基台に任意に着脱が可能にすることもできる。本発明のゴルフスイング練習器は、ゴルファーが単に頭でイメージを描きながらスイングするものとは異なり、前記平行部材および前記形状記憶部材の両方を意識しながらスイングを行うため、正しいゴルフスイングの矯正を速くすることができる。前記平行部材は、足の位置、肩の位置、あるいは腰の位置を飛球線に沿って平行に決めることができる。さらに、前記平行部材は、所望のターゲット方向に向けることができるため、正しい飛球線を認識することができる。
【００２１】
（第３発明）
第３発明のゴルフスイング練習器は、第１発明の基台に形状記憶部材の取付部と、プレーヤが写されるミラーが取り付けられている。ゴルファーは、自分の姿勢やフォームを見ると同時に、前記形状記憶部材および前記基台の平行線のプレッシャーにより、知らずに正しいフォームを作ることができる。前記ミラーは、写されているゴルファーの正しい位置が判るようなマークを付けておくこができる。
【００２２】
（第４発明）
第４発明のゴルフスイング練習器は、第１発明の基台と形状記憶部材とが取付部において、互いの角度を変えるように、たとえば、間歇機構により回動できるとともに、その角度が判る表示部を備えている。前記ゴルフスイング練習器における基台と形状記憶部材との角度は、ゴルフクラブの種類、特に、シャフトの長さやライアングルの角度によって、所望の角度を正確に形状記憶部材にセッティングさせることができるようになっている。
【実施例１】
【００２３】
図１（イ）および（ロ）は本発明の第１実施例で、ゴルフクラブとゴルフスイング練習器の関係を説明するための概念斜視図である。図１（イ）において、ゴルフクラブ１１は、グリップ１１１と、シャフト１１２と、ヘッド１１３とから構成されている。ゴルフスイング練習器１２は、ゴルフ場またはゴルフ練習場、空き地または広場等に載置するほぼＬ字状の基台１２１と、前記ほぼＬ字状の基台１２１の直立部にある固定部１２３に取り付けられた形状記憶部材１２２とから構成されている。
【００２４】
前記形状記憶部材１２２は、たとえば、ゴム系合成樹脂がゴルフクラブのシャフト１１２およびヘッド１１３に傷を付けないため望ましい。また、前記形状記憶部材１２２は、針金や金属薄板（たとえば、ブリキ）等に対して、ゴム系樹脂で覆ったり、あるいは針金や金属薄板を挟んで互いに接着すると、安価に作製することができる。また、前記形状記憶部材１２２は、安価な消耗品とし、基台１２１の固定部１２３により、取り変えが自在にできるものが望ましい。
【００２５】
前記基台１２１は、前記形状記憶部材１２２により、硬さおよび重さを有する部材であり、金属、合成樹脂、金属または樹脂の一方で他方を被覆する部材から構成される。また、前記基台１２１は、水平部および垂直部からＬ字状に構成されている。前記形状記憶部材１２２は、前記垂直部からゴルファーに向かって延びる形状であり、ゴルフクラブ１１が触れても、前記ゴルフスイング練習器１２が元の位置に戻る強さ、容易に倒れるもの、または、クラブが当たった場合に回転する機構にすることができる。図１（イ）において、ゴルファーは、シャフト１１２と、ゴルフスイング練習器１２の形状記憶部材１２２の先端部との距離が常にｄ（たとえば、５ｃｍ）となるようスイングを繰り返す。
【００２６】
図１（ロ）において、ゴルフスイング練習器１２′は、形状記憶部材１２２の形状を丸めて先端部を低い位置にした点と、基台１２１をゴルファーに向かって左右方向に長くなるように成形されている点で図１（イ）と異なっている。ゴルファーは、ヘッド１１３と形状記憶部材１２２の先端の距離ｄ（たとえば、５ｃｍ、ただし技術により距離ｄを任意に変えることができる）を技術に合わせて距離を取り、ゴルフスイングを行う。前記形状記憶部材１２２は、ゴルファーに対して、プレッシャーとなり、正しい軌道でスイングすることができる。また、図１（ロ）において、ゴルファーは、左右方向に平行に長くなっている基台１２１の前記平行部を見ることにより、スイングが正しく矯正される。なお、前記形状記憶部材１２２は、ゴルファーのグリップ近傍に届くような形状にして、手との距離をｄとして、手の振りを正しく矯正することが容易にできる。
【実施例２】
【００２７】
図２（イ）から（ハ）は本発明の第２実施例で、ゴルフスイング練習器を説明するための概念斜視図で、（イ）は完成図、（ロ）は組立図、（ハ）は角度を変える部分の拡大図である。図２（イ）から（ハ）において、基台２２１は、図１（ロ）と異なり、ゴルファーの前後方向に長くなっている。前記基台２２１の一方には、取付ネジ孔２２５が設けられている。平行棒２２３、２２４は、前記基台２２１の取付ネジ孔２２５にネジ止めされる。また、軸２２８は、前記形状記憶部材２２２の下方の取付孔２２７に取り付けられる。前記軸２２８の両端は、取付孔２２７に嵌合される。前記取付孔２２７は、たとえば、ボール２２９が内部に設けられたバネ２２９′等により、上下動できるようになっているため、前記軸２２８が嵌合された場合、間歇的に前記取付孔２２７内を回転する。
【００２８】
形状記憶部材２２２は、前記取付孔２２７の内部において、前記軸２２８を間歇的に回動させる凹部２２２２を備えている。上下動可能に設けられたボール２２９を有する前記軸２２８は、前記凹部２２２２に嵌合される。前記ボール２２９は、前記複数の凹部２２２２に間歇的に移動できるような機構になっている。さらに、軸２２８の端部には、前記形状記憶部材２２２の基台２２１に対する角度が判る表示部２３０が設けられている。前記形状記憶部材２２２は、予め図示のような角度に曲げられたものであっても良い。前記平行棒２２３、２２４は、基台２２１を安定に載置するとともに、ゴルフクラブを平行にスイングする目安になる。また、前記間歇的に移動できる機構と表示部とは、正確な形状記憶部材２２２のセッティングが可能となった。前記基台３１は、ほぼ全面にミラー３２を設け、端縁に形状記憶部材３６、３６′を取り付けることができる。また、前記形状記憶部材３６、３６′は、予め固定式にすることもできる。
【実施例３】
【００２９】
図３は本発明の第３実施例で、基台に複数の形状記憶部材およびミラーが取り付けられているゴルフスイング練習器を説明するための概念斜視図である。図３において、基台３１は、ゴルファーに対して平行となる方向に長い長方形となっている。前記基台３１は、ネジ孔３３、３３′が設けられているとともに、中央に所定の角度（プレーヤからスイングが見える角度）にミラー３２が取り付けられている。形状記憶部材３６、３６′は、根元に比較的硬度の固いネジ付取付部材３４、３４′を固着することもできる。前記形状記憶部材３６、３６′は、硬度の高い部材にゴム系の部材を被覆することもできる。前記ネジ付取付部材３４、３４′は、下部にネジ３５、３５′が設けられ、前記基台３１のネジ孔３３、３３′に取り付けられている。ゴルファーは、自分のフォームを見ながら、また、前記基台３１の平行面（線）３７と、二本の形状記憶部材３６、３６′の先端部を認識しながらスイングを行なうことにより、ゴルフスイングを容易に矯正することができる。さらに、前記ミラー３２は、平面、凸面とすることができるとともに、その面に任意のマークを付けることがでる。前記マークは、ゴルファーのスイングや姿勢等の位置を確認することができる。
【実施例４】
【００３０】
図４は本発明の第４実施例で、ゴルファーが実際にゴルフスイング練習器を使用する際の概念図で、（イ）は上面図、（ロ）は横から見た図である。図４（イ）および（ロ）において、ゴルファー４３は、足４３３の幅を平行棒２２３、２２４に付けた目盛りに合わせるのと同時に、肩４３２も平行にすることができる。ゴルファー４３は、トップの位置４６から、スイングの仮想壁４５に沿ってスイングを開始し、フィニッシュの位置４６（横から見ているためトップとフィニッシュとが同じ位置になる）で終了する。ゴルファー４３は、ゴルフボール４１を打つ際に、形状記憶部材２２２と平行棒２２３、２２４とのプレッシャーにより、正しいスイングを行なうことができるようになる。すなわち、ゴルフスイング練習器は、ゴルフスイングの再現性を高めるための矯正が可能である。
【実施例５】
【００３１】
図５（イ）から（ホ）は本発明の第５実施例で、ゴルフスイング練習器の形状と配置を示す例を説明するための図である。図５（イ）は、前方および手前の形状記憶部材がクラブのスイング通過方向に向かって湾曲している例である。図５（ロ）は、前方の形状記憶部材がほぼ直線で、手前の形状記憶部材が湾曲して、クラブのスイング通過方向に向いている例である。図５（ハ）は、前方および手前の形状記憶部材が直線状となっており、クラブのスイング通過方向に向いている例である。図５（ニ）は、（ロ）と反対で、前方の形状記憶部材が湾曲して、手前が直線状となっており、クラブのスイング通過方向に向いている例である。図５（ホ）は、前方および手前の形状記憶部材が直線であり、かつ、ゴルファー方向を向いている例である。第５実施例は、形状記憶部材をいろいろに曲げるまたは直線とすることにより、クラブの種類やライアングルの違いに対応することができる。また、前記形状記憶部材における角度の相違や湾曲の程度は、練習の課題や気分によって変えることができる。特に、図５（ニ）および（ホ）における内側の形状記憶部材は、バックスイング時の仮想プレーンにも役立つので、バックスイングを取り易くしている。
【実施例６】
【００３２】
図６は本発明の第６実施例で、複数のゴルフスイング練習器を置いた状態でゴルフスイングを行なう例を説明する概略説明図である。図６において、ゴルファー６５は、ゴルフスイング練習器６１と６２、６３と６４の二組みをそれぞれ平行に置く。前記ゴルファー６５は、ゴルフスイング練習器６１と６２、および６３と６４の間に沿って、クラブヘッドが通過するように心がけてスイングを行なう。ゴルファーのスイングは、ゴルフスイング練習器６１から６４等がプレッシャーとなって、自然と、体の軸６６、腕の振り等が一定して正しく矯正される。
【産業上の利用可能性】
【００３３】
以上、本発明の実施例を詳述したが、本発明は、前記実施例に限定されるものではなく、特許請求の範囲に記載された事項を逸脱することがなければ、種々の設計変更を行うことが可能である。本実施例に記載されているゴルフスイング練習器は、大きさや形状を任意に変更することができる。また、前記ゴルフスイング練習器の基台および形状記憶部材は、アルミニウム合金、その他の金属、金属合金、合成樹脂等からなり、公知または周知の既製品を使用することができる。
【図面の簡単な説明】
【００３４】
【図１】（イ）および（ロ）は本発明の第１実施例で、ゴルフクラブとゴルフスイング練習器の関係を説明するための概念斜視図である。（実施例１）
【図２】（イ）から（ハ）は本発明の第２実施例で、ゴルフスイング練習器を説明するための概念斜視図で、（イ）は完成図、（ロ）は組立図、（ハ）は角度を変える部分の拡大図である。（実施例２）
【図３】本発明の第３実施例で、基台に複数の形状記憶部材およびミラーが取り付けられているゴルフスイング練習器を説明するための概念斜視図である。（実施例３）
【図４】本発明の第４実施例で、ゴルファーが実際にゴルフスイング練習器を使用する際の概念図で、（イ）は上面図、（ロ）は横から見た図である。（実施例４）
【図５】（イ）から（ホ）は本発明の第５実施例で、ゴルフスイング練習器の形状と配置を示す例を説明するための図である。（実施例５）
【図６】本発明の第６実施例で、複数のゴルフスイング練習器を置いた状態でゴルフスイングを行なう例を説明する概略説明図である。（実施例６）
【図７】ゴルファーがゴルフスイングを行なった際のスイングの軌跡を説明するための図である。
【符号の説明】
【００３５】
１１・・・ゴルフクラブ
１１１・・・グリップ
１１２・・・シャフト
１１３・・・ヘッド
１２、１２′・・・ゴルフスイング練習器
１２１・・・基台
１２２・・・形状記憶部材
１２３・・・固定部
２２・・・孔
２２１・・・基台
２２２・・・形状記憶部材
２２３、２２４・・・平行棒
２２５・・・取付ネジ孔
２２６、２２６′・・・ネジ
２２７・・・取付孔
２２８・・・軸
２２９・・・ボール
２２９′・・・バネ
２２２２・・・凹部
２３０・・・表示部
３１・・・基台
３２・・・ミラー
３３、３３′・・・ネジ孔
３４、３４′・・・ネジ取付部材
３５、３５′・・・ネジ
３６、３６′・・・形状記憶部材
【図１】
2006326145.tif 000003
【図２】
2006326145.tif 000004
【図３】
2006326145.tif 000005
【図４】
2006326145.tif 000006
【図５】
2006326145.tif 000007
【図６】
2006326145.tif 000008
【図７】
2006326145.tif 000009